(57)【要約】【課題】菌の繁殖を抑えてメンテナンス性を向上した電気瞬間湯沸器を提供すること。【解決手段】本発明の電気瞬間湯沸器は、湯水を加熱する加熱手段を内部に有する筐体１１と、シャワーヘッド１０と、シャワーヘッド１０の湯水を吐出口に配設されるシャワープレート９と、筐体１１よりシャワーヘッド１０に湯水を供給するシャワーホース８とを備え、筐体１１、シャワーヘッド１０、シャワープレート９、シャワーホース８の少なくともいずれか１つは、抗菌剤を有する材質で成型する。【選択図】図１
2010071574.tif 000002
【特許請求の範囲】
【請求項１】
湯水を加熱する加熱手段を内部に有する筐体と、シャワーヘッドと、前記シャワーヘッドの湯水を吐出口に配設されるシャワープレートと、前記筐体より前記シャワーヘッドに湯水を供給するシャワーホースとを備え、前記筐体、前記シャワーヘッド、前記シャワープレート、前記シャワーホースの少なくともいずれか１つは、抗菌剤を有する材質で成型されることを特徴とする電気瞬間湯沸器。
【請求項２】
前記シャワーホースには防カビ剤を有する材質で構成したことを特徴とする請求項１に記載の電気瞬間湯沸器。
【発明の詳細な説明】
【技術分野】
【０００１】
本発明は、シャワー等に使用される、電気瞬間湯沸器に関するものである。
【背景技術】
【０００２】
従来、この種の電気瞬間湯沸器は、筐体内に加熱手段としてシーズヒーターを有し、湯水を加熱手段へ供給することで、所望の温度の温水を生成することができ、シャワー室や浴室に設けられたシャワーや給湯端末を通して、使用者へ湯水を提供することができる。
【０００３】
図４は、従来の電気瞬間湯沸器の構成図である。図４に示すように、筐体１１７内には、水を加熱するヒーターユニット１０１を有し、ヒーターユニット１０１内には、電気エネルギーを熱エネルギーに変換して温水を生成する加熱手段１０２（例えば、シーズヒーター）が配設されている。
【０００４】
ヒーターユニット１０１には給水源から水を供給する水配管１０６が接続され、またシャワー等の給湯端末へ温水を供給する湯配管１０７が接続されている。そして湯配管１０７にはシャワーホース１１４の一端が接続され、シャワーホース１１４の他端はシャワーヘッド１１６に接続されている。さらにシャワーヘッド１１６には湯の吐出口であるシャワープレート１１５が設けられている（例えば、特許文献１参照）。
【０００５】
このような電気瞬間湯沸器は、シャワー室や浴室に設置され使用される場合が一般的であり、使用者がシャワーを浴びる時には、体を洗った石鹸やシャンプーが混ざった水が、筐体に掛かってしまうため、通常、機器の本体を構成する筐体は樹脂製であり、内部に水が浸入しにくい構成を採ることで、機器が安全に動作するように工夫されている。
【特許文献１】特開２００２−３４９９５９号公報
【発明の開示】
【発明が解決しようとする課題】
【０００６】
しかしながら、上記従来の電気瞬間湯沸器においては、シャワー室や浴室など温水による快適なシャワーを提供できるものの、長期に渡って使用すると、湿気が多い使用環境に加えて、シャワーを使用した後の残水には、菌の栄養源となる石鹸成分が多く含まれるため、湯沸器の筐体やシャワーヘッド、シャワープレート等には、大腸菌や黄色ブドウ球菌、カビ菌が繁殖しやすい。そして、一度大腸菌や黄色ブドウ球菌、カビ菌が繁殖してしまうと、浴室用洗剤を用いて、布やブラシ等を使用してクリーニングするしかなく、日常的に手入れをしなければならないという課題を有していた。
【０００７】
本発明は、上記従来の課題を解決するもので、菌の繁殖を抑えてメンテナンス性を向上した電気瞬間湯沸器を提供することを目的とする。
【課題を解決するための手段】
【０００８】
前記従来の課題を解決するために、本発明の電気瞬間湯沸器は、湯水を加熱する加熱手段を内部に有する筐体と、シャワーヘッドと、前記シャワーヘッドの湯水を吐出口に配設されるシャワープレートと、前記筐体より前記シャワーヘッドに湯水を供給するシャワーホースとを備え、前記筐体、前記シャワーヘッド、前記シャワープレート、前記シャワーホースの少なくともいずれか１つは、抗菌剤を有する材質で成型されることにより、湯沸器の筐体やシャワーヘッド、シャワープレートやシャワーホースに大腸菌や黄色ブドウ球菌の繁殖を防ぐ事ができ、清潔なシャワー環境を保てる電気瞬間湯沸器を提供することができる。
【発明の効果】
【０００９】
本発明は、菌の繁殖を抑えてメンテナンス性を向上した電気瞬間湯沸器を提供することができる。
【発明を実施するための最良の形態】
【００１０】
第１の発明の電気瞬間湯沸器は、湯水を加熱する加熱手段を内部に有する筐体と、シャワーヘッドと、前記シャワーヘッドの湯水を吐出口に配設されるシャワープレートと、前記筐体より前記シャワーヘッドに湯水を供給するシャワーホースとを備え、前記筐体、前記シャワーヘッド、前記シャワープレート、前記シャワーホースの少なくともいずれか１つは、抗菌剤を有する材質で成型されることにより、湯沸器の筐体やシャワーヘッド、シャワープレートやシャワーホースに大腸菌や黄色ブドウ球菌の繁殖を防ぐ事ができ、清潔なシャワー環境を保てる電気瞬間湯沸器を提供することができる。さらに菌の繁殖を防ぐことができるので、使用者が手入れする負担が軽減される。
【００１１】
第２の発明の電気瞬間湯沸器は、特に第１の発明において、シャワーホースには防カビ剤を有する材質で構成したことにより、特に内部に残水が残ってカビが繁殖しがちなシャワーホースでのカビの繁殖を防止することができ、非常に衛生的な電気瞬間湯沸器を提供することができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における電気瞬間湯沸器の構成図を示すものである。図１において、筐体１１の内部には、加熱手段であるヒーターユニット１が配設されている。そして水を加熱するヒーターユニット１は、電気エネルギーを熱エネルギーに変換する加熱手段２（例えば、シーズヒータ）を内部に備えている。また、使用者が温水温度を調節可能な制御手段４が設けられており、制御手段４に接続される電力制御手段５で加熱手段の出力をコントロールしている。
【００１４】
ヒーターユニット１には、給水源から水を供給する水配管６と、使用者へ温水を供給するための湯配管７とが接続されており、使用者が制御手段４を操作してシャワーの使用を開始すると、水配管６からヒーターユニット１に水が供給されて加熱され、湯配管７を通って使用者へ湯が供給される。
【００１５】
湯配管７には、シャワーホース８の一端が接続され、シャワーホース８の他端はシャワーヘッド１０に接続されている。さらにシャワーヘッド１０には湯の吐出口であるシャワープレート９が設けられている。
【００１６】
以上のように構成された電気瞬間湯沸器について、以下その動作作用を説明する。
【００１７】
まず、使用者がシャワーを使用するときには、上述したように制御手段４を操作してシャワーの開始を指示する。シャワーを開始すると、水配管６を経てヒーターユニット１へ水が供給される。供給された水はヒーターユニット１で加熱され温水となり、湯配管７を経てシャワーホース８を通過し、シャワープレート９より湯が吐出される。その結果、使用者はシャワー浴を楽しむことができる。
【００１８】
そして、シャワー使用時には、使用者は頭髪や体を石鹸やシャンプー等で洗うため、石鹸やシャンプーが混ざった水が周囲に飛散して、シャワー浴を終了後も飛散した水が流さ
れないまま残って放置されてしまうことがある。特に固形石鹸などが溶けた石鹸水などは菌の栄養源となってしまい、菌が繁殖してしまう。
【００１９】
そこで、本発明では、シャワープレート９、シャワーヘッド１０、シャワーホース８、筐体１１の少なくともいずれか１つには抗菌剤１２を有する材質で成型されている。図２（ａ）は、銀を含む無機系抗菌剤をベースとなる樹脂に練りこませた構成図である。図２（ａ）に示すように、抗菌剤１２の金属成分がイオンとなって水に溶け出して、このイオンが菌を殺して増殖を防いでいる。なお、金属成分としては本発明のように銀に限定されることなく、銅や亜鉛であってもよい。
【００２０】
また、図２（ｂ）は、光の存在下で発生する活性酸素を樹脂に練りこませた構成図である。図２（ｂ）に示すように、図２（ａ）の無機系抗菌剤に代えて、光の存在下で発生する活性酸素を樹脂に練りこませているので、図２（ａ）に示すものと同じく、活性酸素が水に溶け出して菌を殺して増殖を防いでいる。
【００２１】
さらに、シャワーヘッド１０を壁にかけることが多いため、筐体１１からシャワーヘッド１０へとつながるシャワーホース８は折れ曲がった状態になることが多い。そのためシャワーホース８の中にはシャワー後の残水が残ることが多く、カビの発生源となることが多かった。
【００２２】
そこで本発明のシャワーホース８には、銀、銅、亜鉛の少なくとも一種類を含む無機系材料を有するハイブリッドな有機系防カビ剤１３を有する材質で成型されている。図３は、有機系防カビ剤をベースとなる樹脂に練りこませた構成図である。図３において、シャワーホース８の樹脂表面では、有機系防カビ剤が水中に溶け出し、カビ菌を殺して増殖を防いでいる。
【００２３】
以上のように、本実施の形態では、抗菌剤を混ぜ込んだ材料で筐体１１および／またはシャワーヘッド１０および／またはシャワープレート９および／またはシャワーホース８を成型することで、大腸菌や黄色ブドウ球菌、カビ菌の繁殖を防ぐことができ、さらに、シャワーホース８の材質に防カビ剤を混ぜ込ませることで、シャワーホース８にカビが発生するのを防ぐことができるので、快適なシャワー空間を提供することができるとともに、メンテナンス性を向上させることができる。
【産業上の利用可能性】
【００２４】
本発明にかかる電気瞬間湯沸器は、大腸菌や黄色ブドウ球菌の繁殖しにくい筐体、シャワーヘッド、シャワープレートと、カビの繁殖しにくいシャワーホースにより、菌の発生しにくい快適なシャワー空間を提供できるので、ひいては、快適な環境の提供につながる。
【図面の簡単な説明】
【００２５】
【図１】本発明の実施の形態１における電気瞬間湯沸器の構成図
【図２】（ａ）同実施の形態における抗菌剤を含む材質の構成図（ｂ）同実施の形態における抗菌剤を含む材質の構成図
【図３】同実施の形態における防カビ剤を含む材質の構成図
【図４】従来の電気瞬間湯沸器の構成図
【符号の説明】
【００２６】
１  ヒーターユニット
２  加熱手段（シーズヒーター）
６  水配管
７  湯配管
８  シャワーホース
９  シャワープレート
１０  シャワーヘッド
１１  筐体
【図１】
2010071574.tif 000003
【図２】
2010071574.tif 000004
【図３】
2010071574.tif 000005
【図４】
2010071574.tif 000006